【事件の表示】
　特許第２７９０５９６号「院内感染防止方法」の請求項１ないし４に係る特許に対する特許異議の申立てについて、次のとおり決定する。
【結　論】
　訂正を認める。
　特許第２７９０５９６号の請求項１ないし２に係る特許を維持する。
【理　由】
１．手続きの経緯
　本件特許第２７９０５９６号の請求項１ないし請求項４に係る発明は、発明の名称を「院内感染防止方法」とする平成５年６月１７日の出願で、平成１０年６月１２日に特許の登録（特許公報発行日　平成１０年８月２７日）がなされたものである。
　特許異議申立人宮本正人は、平成１１年２月２４日付で、本件特許が特許法第２９条の規定に違反してなされたものである旨を理由とする同法第１１３条による特許異議の申立てをなした。
　特許権者株式会社竹中工務店外４名は、当審が平成１２年１月２０日付け（起案日）で特許異議の申立てに基づく特許取消しの理由を通知したところ、その指定期間内である平成１２年４月１７日付で特許異議意見書の提出と共に本件特許の願書に添付した明細書の訂正を請求した。
２．訂正の請求について
（訂正請求の概要）
　特許権者は、願書に添付した明細書の特許請求の範囲及び発明の詳細な説明について、訂正請求書の訂正の要旨に記載した訂正事項ａ〜ｌのとおりに訂正することを求めている。
　以下、この点について検討する。
（訂正の適否）
ア．訂正明細書の請求項１、２に係る発明
　訂正明細書の請求項１、２に係る発明は、その特許請求の範囲の請求項１、２に記載された次の通りのものである。
【請求項1】病院内における部材が、金属材料、無機材料、有機材料から選択される一種または二種以上の固形部材であり、４００ｎｍ未満の紫外線波長を含む光に暴露され、かつ、該部材表面に酸化チタン、酸化鉄、酸化タングステン、酸化亜鉛、チタン酸ストロンチウムからなる群より選択される金属酸化物半導体の１種以上である光触媒機能を有する材料を塗布したのち焼成することにより光触媒機能を有する材料を適用するか、或いは、前記光触媒機能を発現する金属酸化物に用いられる金属を薄膜化し、酸化処理を行って得た材料薄膜を部材表面に接着することにより適用することを特徴とする院内感染防止方法。
【請求項２】病院内における部材が、金属材料、無機材料、有機材料から選択される一種または二種以上の固形部材であり、４００ｎｍ未満の紫外線波長を含む光に暴露され、かつ、該部材表面に酸化チタン、酸化鉄、酸化タングステン、酸化亜鉛、チタン酸ストロンチウムからなる群より選択される金属酸化物半導体の１種以上を白金、金、パラジウム、銀、銅、ニッケル、コバルト、ロジウム、ニオブ、スズ、酸化ルテニウム、酸化ニッケルからなる群から選択される金属又は金属酸化物で修飾してなる光触媒機能を有する材料を塗布したのち焼成することにより光触媒機能を有する材料を適用するか、或いは、前記光触媒機能を発現する金属酸化物に用いられる金属と前記光触媒機能を有する金属の合金を薄膜化し、酸化処理を行って得た材料薄膜を部材表面に接着することにより適用することを特徴とする院内感染防止方法。
イ．訂正の目的の適否、新規事項の有無及び拡張・変更の存否
(1)訂正事項ａについて
　訂正事項ａは、特許請求の範囲の請求項１の記載を特許請求の範囲の減縮を目的として、
「【請求項1】病院内における部材が、金属材料、無機材料、有機材料からなり、４００ｎｍ未満の紫外線波長を含む光に暴露され、かつ、該部材表面に光触媒機能を有する材料を適用したものであり、該光触媒機能を有する材料が、酸化チタン、酸化鉄、酸化タングステン、酸化亜鉛、チタン酸ストロンチウムからなる群より選択される金属酸化物半導体の１種以上であることを特徴とする院内感染防止方法。」とあるのを、
「【請求項1】病院内における部材が、金属材料、無機材料、有機材料から選択される一種または二種以上の固形部材であり、４００ｎｍ未満の紫外線波長を含む光に暴露され、かつ、該部材表面に酸化チタン、酸化鉄、酸化タングステン、酸化亜鉛、チタン酸ストロンチウムからなる群より選択される金属酸化物半導体の１種以上である光触媒機能を有する材料を塗布したのち焼成することにより光触媒機能を有する材料を適用するか、或いは、前記光触媒機能を発現する金属酸化物に用いられる金属を薄膜化し、酸化処理を行って得た材料薄膜を部材表面に接着することにより適用することを特徴とする院内感染防止方法。」
と訂正しようとするものである。
　上記訂正の内容を検討すると、病院内における部材並びにその部材表面への光触媒機能を有する材料の適用手段を、訂正前の明細書の請求項３、段落【００１７】及び【００２１】に記載の範囲内において具体的に限定するものであって、この訂正は明らかに訂正前の特許請求の範囲を減縮するものであり、特許請求の範囲を実質上拡張し、又は変更するものではないと認められる。
　また、この訂正後の請求項1に記載されている事項により構成される発明は、後記「３．特許異議の申立てについて」の項で述べるとおり、特許出願の際独立して特許を受けることができるものであると認められる。
　したがって、この訂正は、特許法第１２０条の４第２項ただし書き第１号の規定に適合し、また同第３項の規定により準用する同法第１２６条第２項から第４項の規定にも適合する。
(2)訂正事項ｂについて
　訂正事項ｂは、特許請求の範囲の請求項２の記載を特許請求の範囲の減縮を目的として、
「【請求項２】病院内における部材が、金属材料、無機材料、有機材料からなり、４００ｎｍ未満の紫外線波長を含む光に暴露され、かつ、該部材表面に光触媒機能を有する材料を適用したものであり、該光触媒機能を有する材料が、酸化チタン、酸化鉄、酸化タングステン、酸化亜鉛、チタン酸ストロンチウムからなる群より選択される金属酸化物半導体の１種以上を白金、金、パラジウム、銀、銅、ニッケル、コバルト、ロジウム、ニオブ、スズ、酸化ルテニウム、酸化ニッケルからなる群から選択される金属又は金属酸化物で修飾してなる材料であることを特徴とする院内感染防止方法。」とあるのを、
「【請求項２】病院内における部材が、金属材料、無機材料、有機材料から選択される一種または二種以上の固形部材であり、４００ｎｍ未満の紫外線波長を含む光に暴露され、かつ、該部材表面に酸化チタン、酸化鉄、酸化タングステン、酸化亜鉛、チタン酸ストロンチウムからなる群より選択される金属酸化物半導体の１種以上を白金、金、パラジウム、銀、銅、ニッケル、コバルト、ロジウム、ニオブ、スズ、酸化ルテニウム、酸化ニッケルからなる群から選択される金属又は金属酸化物で修飾してなる光触媒機能を有する材料を塗布したのち焼成することにより光触媒機能を有する材料を適用するか、或いは、前記光触媒機能を発現する金属酸化物に用いられる金属と前記光触媒機能を有する金属の合金を薄膜化し、酸化処理を行って得た材料薄膜を部材表面に接着することにより適用することを特徴とする院内感染防止方法。」
と訂正しようとするものである。
　上記訂正の内容を検討すると、病院内における部材並びにその部材表面への光触媒機能を有する材料の適用手段を、前記請求項１よりも更に訂正前の明細書の請求項３、段落【００１７】及び【００２１】に記載の範囲内において具体的に限定するものであって、この訂正は明らかに訂正前の特許請求の範囲を減縮するものであり、特許請求の範囲を実質上拡張し、又は変更するものではないと認められる。
　また、この訂正後の請求項２に記載されている事項により構成される発明は、後記「３．特許異議の申立てについて」の項で述べるとおり、特許出願の際独立して特許を受けることができるものであると認められる。
　したがって、この訂正は、特許法第１２０条の４第２項ただし書き第１号の規定に適合し、また同第３項の規定により準用する同法第１２６条第２項から第４項の規定にも適合する。
(3)訂正事項ｃについて
　訂正事項ｃは、特許請求の範囲の減縮を目的として請求項３を削除するものである。
　したがって、この訂正は、明らかな訂正前の特許請求の範囲の減縮であり、特許法第１２０条の４第２項ただし書き第１号の規定に適合する。
(４)訂正事項ｄについて
　訂正事項ｄは、特許請求の範囲の減縮を目的として請求項４を削除するものである。
　したがって、この訂正も、明らかな訂正前の特許請求の範囲の減縮であり、特許法第１２０条の４第２項ただし書き第１号の規定に適合する。
(５)訂正事項ｅについて
　訂正事項ｅは、明りょうでない記載の釈明を目的として、明細書の段落番号【０００７】における【課題を解決するための手段】の
「本出願に係わる請求項１記載の発明は、院内感染防止方法であって、病院内における部材が、金属材料、無機材料、有機材料からなり、４００ｎｍ未満の紫外線波長を含む光に暴露され、かつ、該部材表面に光触媒機能を有する材料を適用したものであり、該光触媒機能を有する材料が、酸化チタン、酸化鉄、酸化タングステン、酸化亜鉛、チタン酸ストロンチウムからなる群より選択される金属酸化物半導体の１種以上であることを特徴とする。この金属酸化物半導体は白金、金、パラジウム、銀、銅、ニッケル、コバルト、ロジウム、ニオブ、スズ、酸化ルテニウム、酸化ニッケルからなる群から選択される金属又は金属酸化物で修飾されていることが好ましい。」とあるのを、
「本出願に係わる請求項１記載の発明は、院内感染防止方法であって、病院内における部材が、金属材料、無機材料、有機材料から選択される１種又は２種以上の固形部材であり、４００ｎｍ未満の紫外線波長を含む光に暴露され、かつ、該部材表面に酸化チタン、酸化鉄、酸化タングステン、酸化亜鉛、チタン酸ストロンチウムからなる群より選択される金属酸化物半導体の１種以上である光触媒機能を有する材料を塗布したのち焼成することにより光触媒機能を有する材料を適用するか、或いは、前記光触媒機能を発現する金属酸化物に用いられる金属を薄膜化し、酸化処理を行って得た材料薄膜を部材表面に接着することにより、該部材表面に光触媒機能を有する材料を適用したものであることを特徴とする。この金属酸化物半導体は白金、金、パラジウム、銀、銅、ニッケル、コバルト、ロジウム、ニオブ、スズ、酸化ルテニウム、酸化ニッケルからなる群から選択される金属又は金属酸化物で修飾されていることが好ましい。」
と訂正しようとするものである。
　この訂正は、前記(1)及び（２）で述べた特許請求の範囲の減縮に伴い、その特許請求の範囲の記載との整合を図るためのものであり、明りょうでない記載の釈明に該当するものであって、願書に最初に添付した明細書に記載した事項の範囲内のものであり、この訂正により実質上特許請求の範囲を拡張し、又は変更するものでもないと認められる。
　したがって、この訂正は、特許法第１２０条の４第２項ただし書き第３号及び同第３項により準用する同法第１２６条第２項から第３項の規定に適合する。
(６)訂正事項ｆについて
　訂正事項ｆは、明りょうでない記載の釈明を目的として、明細書の段落番号【０００８】における「【０００８】本出願に係わる請求項３記載の発明は、前記部材が、金属材料、無機材料、有機材料から選択される一種または二種以上の固形部材であり、該部材表面が前記光触媒機能を有する材料からなる薄膜で被覆されていることを特徴とする。」の記載を削除するものである。
　この訂正は、前記（３）で述べた特許請求の範囲の請求項３の削除に伴い、その特許請求の範囲の記載との整合を図るためのものであって、明りょうでない記載の釈明に該当するものであり、この訂正により実質上特許請求の範囲を拡張し、又は変更するものでもないと認められる。
　したがって、この訂正は、特許法第１２０条の４第２項ただし書き第３号及び同第３項により準用する同法第１２６条第２項から第３項の規定に適合する。
（７）訂正事項ｇについて
　訂正事項ｇは、明りょうでない記載の釈明を目的として、明細書の段落番号【０００９】における「【０００９】本出願に係わる請求項４記載の発明は、前記部材が、有機材料の一種または二種以上の可撓性部材であり、該部材表面に前記光触媒機能を有する材料粉体を適用することを特徴とする。」の記載を削除するものである。
　この訂正は、前記（４）で述べた特許請求の範囲の請求項４の削除に伴い、その特許請求の範囲の記載との整合を図るためのものであり、明りょうでない記載の釈明に該当するものであって、この訂正により実質上特許請求の範囲を拡張し、又は変更するものでもないと認められる。
　したがって、この訂正は、特許法第１２０条の４第２項ただし書き第３号及び同第３項により準用する同法第１２６条第２項から第３項の規定に適合する。
（８）訂正事項ｈについて
　訂正事項ｈは、明りょうでない記載の釈明を目的として、明細書の段落番号【００１０】中の「病院内における部材」とある記載を、「病院内における固形部材」と訂正するものである。
　この訂正は、前記（１）及び（２）で述べた特許請求の範囲の訂正に伴い、その特許請求の範囲の記載との整合を図るためのものであり、この訂正により実質上特許請求の範囲を拡張し、又は変更するものでもないと認められる。
　したがって、この訂正は、特許法第１２０条の４第２項ただし書き第３号及び同第３項により準用する同法第１２６条第２項から第３項の規定に適合する。
（９）訂正事項ｉについて
　訂正事項ｉは、明りょうでない記載の釈明を目的として、明細書の段落番号【００１２】における「、カーテン、カーペット」とある記載を削除するものである。
　この訂正は、前記（４）で述べた特許請求の範囲の請求項４の削除に伴い、その特許請求の範囲の記載との整合を図るためのものであり、明りょうでない記載の釈明に該当するものであって、この訂正により実質上特許請求の範囲を拡張し、又は変更するものでもないと認められる。
　したがって、この訂正は、特許法第１２０条の４第２項ただし書き第３号及び同第３項により準用する同法第１２６条第２項から第３項の規定に適合する。
（１０）訂正事項ｊについて
　訂正事項ｊは、明りょうでない記載の釈明を目的として、明細書の段落番号【００１７】における「固定する方法」とある記載を、「固定し、焼成する方法」と訂正するものである。
　この訂正は、前記（１）及び（２）で述べた特許請求の範囲の訂正に伴い、その特許請求の範囲の記載との整合を図るためのものであり、この訂正により実質上特許請求の範囲を拡張し、又は変更するものでもないと認められる。
　したがって、この訂正は、特許法第１２０条の４第２項ただし書き第３号及び同第３項により準用する同法第１２６条第２項から第３項の規定に適合する。
（１１）訂正事項ｋについて
　訂正事項ｋは、明りょうでない記載の釈明を目的として、明細書の段落番号【００１８】における「【００１８】本発明の院内感染防止方法において、光触媒機能を有する物質を適用する病院内の部材が、寝台のマット部、椅子の樹脂製クッション部、カーテン、カーペット、繊維性の壁材等有機材料からなる可撓性部材である場合は、該部材表面に光触媒機能を有する材料を粉体化して適用することが好ましい。ここで、可撓性部材とは、樹脂製の薄板の如き部材や、繊維製品、合成レザーの如く、応力によって容易に変形する部材の全てを含むものとする。適用方法としては、修飾した金属酸化物等の光触媒機能を有する材料を粉末化し、該粉体を接着剤とともに可撓性部材にスプレーする方法、毛足の長いカーペットや表面接着性を有するスチレンーブタジエンゴム等の玄関マットの如きものには、粉体を表面に直接散布する方法等が挙げられる。」の記載を削除するものである。
　この訂正は、前記（４）で述べた特許請求の範囲の請求項４の削除に伴い、その特許請求の範囲の記載との整合を図るためのものであって、この訂正により実質上特許請求の範囲を拡張し、又は変更するものでもないと認められる。
　したがって、この訂正は、特許法第１２０条の４第２項ただし書き第３号及び同第３項により準用する同法第１２６条第２項から第３項の規定に適合する。
（１２）訂正事項ｌについて
　訂正事項ｌは、明りょうでない記載の釈明を目的として、明細書の段落番号【００２１】における「また可撓性部材については、粉体を吹きつけ接着する他、繊維、樹脂を構成する高分子材料に前記の粉体を混合し、成形する方法も用いることができる。」とある記載を削除するものである。
　この訂正は、前記（４）で述べた特許請求の範囲の請求項４の削除に伴い、その特許請求の範囲の記載との整合を図るためのものあって、この訂正により実質上特許請求の範囲を拡張し、又は変更するものでもないと認められる。
　したがって、この訂正は、特許法第１２０条の４第２項ただし書き第３号及び同第３項により準用する同法第１２６条第２項から第３項の規定に適合する。
ウ．独立特許要件の判断
　訂正明細書の請求項１、２に係る発明（以下、「訂正発明１」、「訂正発明２」という）に対して、当審が通知した取消理由１の明細書記載の不備について、
「１．明細書記載不備について
　本件特許第２７９０５９６号の請求項１ないし４に係る発明(平成５年６月１７日出願、平成１０年６月１２日登録)は、その特許請求の範囲の請求項１ないし４に記載されたとおりである。
　上記請求項１ないし４に記載された発明は、いずれも方法の発明（院内感染防止方法）であるが、各請求項に記載の事項においては、方法の発明として必須の要件である経時的な要素を欠いているので、本件各方法の発明の構成に欠くことができない事項のみが必要十分に記載されておらず、方法としての発明が明確でないから、本件特許明細書の特許請求の範囲の記載における請求項１ないし４の記載は不備である。
　したがって、本件特許は、旧特許法（平成２年６月法律３０号）第３６条第５項第２号に規定する要件を満たしていない特許出願に対してなされたものであるから、取り消されるべきものである。」
については、平成１２年４月１７日付けの訂正請求により解消した。
　次に、取消理由２で引用した刊行物１（特開昭６３−６３４６５号公報・異議申立人提出の甲第１号証）には、後述する３（１）に記載する内容が開示されている。
　刊行物２（特開平５−１０３８２１号公報・異議申立人提出の甲第２号証）には、後述する３（２）に記載する内容が開示されている。
　刊行物３（セラミックス　２１（１９８６）Ｎｏ． ４　３２６〜３３３頁・異議申立人提出の甲第３号証）には、後述する３（３）に記載する内容が開示されている。
　刊行物４（特開平３−９４７５９号公報・異議申立人提出の甲第４号証）には、後述する３（４）に記載する内容が開示されている。
　刊行物５（特開平２−６３３３号公報・異議申立人提出の甲第５号証）には、後述する３（５）に記載する内容が開示されている。
（対比・判断）
　後述する「３．特許異議申立てについて」の（対比判断）の欄に示したとおり、訂正発明１、２は、特許出願の際、独立して特許を受けることができるものである。
エ．むすび
　以上のとおりであるから、本件訂正は、上記したとおり特許法第１２０条の４第２項ただし書き及び同第３項により準用する同法第１２６条第２項から第４項の規定に適合するので、本件特許の願書に添付した明細書の訂正の請求を認容する。
３．特許異議の申立てについて
（特許異議の申立て理由の概要）
　本件特許異議の申立ては、請求項１に係る発明は、甲第１号証に記載された発明と実質的に同一であり、また、甲第１号証及び甲第２号証、あるいは甲第１号証〜甲第５号証に記載の発明に基いて当業者が容易に発明をすることができたものであり、請求項２に係る発明は、甲第１号証〜甲第３号証、甲第５号証に記載の発明に基いて当業者が容易に発明をすることができたものであり、請求項３に係る発明は、甲第１号証に記載された発明と実質的に同一であり、また、甲第１号証及び甲第２号証、あるいは甲第１号証〜甲第５号証に記載の発明に基いて当業者が容易に発明をすることができたものであり、請求項４に係る発明は、甲第１号証〜甲第３号証、甲第５号証に記載された発明に基いて当業者が容易に発明をすることができたものであるから、本件特許は特許法第２９条の規定に違反してなされたものであり、取り消されるべきものである旨を主張するものである。
　なお、本件特許異議の申立ての対象は、訂正前の特許請求の範囲の請求項１ないし４について申し立てがあったものであるが、前記「２．訂正の請求について」の項で述べたとおり、本件特許の訂正前の請求項３及び４は削除されたので、訂正後の請求項１及び２について審理する。
（本件請求項１、２に係る発明）
　本件請求項１、２に係る発明は、訂正後の特許請求の範囲の請求項１及び請求項２に記載された前記したとおり（以下、「本件発明１」、「本件発明２」という）のものである。
（証拠の記載）
　特許異議申立人が提出した甲第１号証ないし甲第５号証には次の事項が記載されている。
（１）甲第１号証（特開昭６３−６３４６５号公報）：
「Ｃｓ２Ｓｂ，ＩｎＳｂ，ＧａＡｓ，ＴｉＯ２，ＳｉＯ２，又はＲｏＯ２から選択された１又は２以上の金属化合物を有効成分として含有する被覆層を建造物壁面に形成せしめ、次いで該壁面に光照射を行うことを特徴とする建造物壁面の防黴防菌方法」（本号証の特許請求の範囲）が記載され、「本発明の建造物は例えば、前項で述べたクリーンルームの例・・・・・あるいはそれの複合系が挙げられるが、これに限定されるものではなく、通常使用される壁面の材質であれば良い」（公報第２頁右上欄第９〜２０行）が記載され、これらの記載を含む明細書の記載からみて、甲第１号証には、「病院等の木質、プラスチック、コンクリート系、ガラス、アルミ、鉄、その他の無機質系等からなる壁面材に、Ｃｓ２Ｓｂ，ＩｎＳｂ，ＧａＡｓ，ＴｉＯ２，ＳｉＯ２，又はＲｏＯ２から選択された１又は２以上の金属化合物を有効成分として含有する被覆層を形成し、次いで光照射する建造物壁面の防黴防菌方法」の発明について記載されてるものと認められ、その金属化合物の被覆層の形成手段として、コーティングした例が実施例２の説明において記載されている。
（２）甲第２号証（特開平５−１０３８２１号公報）：
「【請求項１】銀イオン及び該銀イオンを安定して保持する担持体からなる殺菌剤を含有する、抗生物質に対して耐性を獲得しやすい微生物用無菌性繊維。
【請求項２】殺菌剤の含有量が０．３〜１０重量％である請求項１記載の無菌性繊維。
【請求項３】抗生物質に対して耐性を獲得しやすい微生物が黄色ブドウ球菌である請求項１記載の無菌性繊維。
【請求項４】少なくとも、一部が請求項１記載の無菌性繊維である繊維構造物。」（本号証の特許請求の範囲）が記載され、「本発明において殺菌剤を繊維に含有させる方法としては・・・・・をいずれも適用できる」（段落００１６）が記載され、「本発明の殺菌性繊維及び・・・・・使用するのが好ましい。」（段落００１９）が記載され、これらの記載を含む明細書の記載からみて、甲第２号証には、「銀イオン及び該銀イオンを安定して保持する担持体を紡糸時練り込み加工法や繊維表面に添着する方法を用いて、病院感染の恐れのあるリネン類、ベット、シーツ、カーテン、タイルカーペット等に殺菌性を付与することにより、院内感染を防止する繊維製品を提供するという」発明について記載されているものと認められる。
（３）甲第３号証（セラミックス　２１（１９８６）Ｎｏ． ４　３２６〜３３３頁）：
「チタニアの光エネルギー変換作用」の技術に関し、「チタニアのバンドギャプより大きなエネルギーを持つ４００ｎｍ以下の紫外光がチタニア光電極に吸収されると・・・・・強い電子を引き抜く力、すなわち酸化力を持っている」（第３２７頁左欄第５行〜１４行）と記載され、「チタニアの光化学作用は光照射によって内部に生じた電子正孔が固体内を移動し、表面において電子移動反応を起こす・・・」（第３２８頁左欄第１３〜１５行）と記載され、このように作製したチタニア微粒子は、そのままでは活性が小さく、高効率な光触媒として金属微粒子を担持して用いられることが多い。通常は白金、パラジウム、酸化ルテニウムの超微粒子がチタニア粒子上に担持されて始めて光触媒として機能を発現する」（第３２９頁右欄第１４〜１９行）と記載され、これらの記載からみて甲第３号証には「チタニアは４００ｎｍ以下の紫外光の照射によって光触媒作用が生じ、その際白金、パラジウム、酸化ルテニウムの超微粒子がチタニア粒子上に担持されることにより、より強い光触媒としての機能を発現するという」チタニアの光触媒作用の発明が記載されていると認められる。
（４）甲第４号証（特開平３−９４７５９号公報）：
「内視鏡の挿入部に設けられた挿通チャンネルを介して使用され、少なくとも一部に光触媒効果を有する半導体物質を設けた内視鏡用処置具と、この内視鏡用処置具の滅菌を行うための光照射滅菌装置よりなることを特徴とする内視鏡用処置具滅菌システム。」（本号証の特許請求の範囲）が記載され、「酸化力、還元力ともに強い半導体として酸化チタンが知られており、このＴｉＯ２の半導体微粒子に白金を担持すると、ＴｉＯ２の光触媒機能が著しく増加することも知られている」（公報第２頁左上欄第１０〜１４行）が記載され、「内視鏡の挿入部に設けられた挿通チャンネルを介して使用され、少なくとも一部に光触媒効果を有する半導体物質を設けた内視鏡用処置具と、この内視鏡用処置具の滅菌を行うための光照射滅菌装置とからなる内視鏡用処置具滅菌システム」（公報第２頁右上欄第１７〜同左下欄第２行）が記載され、「生検カップ２０の外表面には、光触媒効果を有する半導体物質としてＴｉＯ２からなる半導体電極層２１が設けられている。この半導体電極層２１は、生検鉗子１を製造後、その表面にＴｉＯ２微粒子を吹き付けてコーティングしたものであり」（公報第２頁右下欄第９〜１４行）が記載されており、「この内視鏡用処置具の滅菌を行うための光照射滅菌装置とから構成したから、処置具を使用後、洗浄等を行った後、半導体物質に向けて光を照射すると、半導体物質が酸化反応を示して滅菌するため・・・・・完全な滅菌ができるから感染等の恐れがなく」（公報第４頁右下欄第１７行〜第５頁左上欄第３行）が記載され、これらの記載を含む明細書及び図面の記載からみて、甲第４号証には、「内視鏡用処置具の生検カップの外表面に光触媒機能を有するＴｉＯ２の微粒子を吹き付けてコーティングすることにより消毒、滅菌を容易に行うことのできる」発明が記載されていると認められる。
（５）甲第５号証（特開平２−６３３３号公報）：
「１）含水酸化チタンもしくは酸化チタンの粒子表面に、銅、亜鉛またはそれらの合金からなる抗菌性金属の少なくとも一種を担持してなることを特徴とする抗菌性粉末。
２）抗菌性金属が銅であることを特徴とする請求項１の抗菌性粉末。
３）抗菌性金属が銅合金であることを特徴とする請求項１の抗菌性粉末。
４）含水酸化チタンもしくは酸化チタンの粒子表面に、銅、亜鉛またはそれらの合金の少なくとも一種を無電解めっきして該抗菌性金属を担持させてなることを特徴とする抗菌性粉末の製造方法。
５）含水酸化チタンもしくは酸化チタンの粒子表面に、銅、亜鉛またはそれらの合金の少なくとも一種を蒸着して該抗菌性金属を担持させてなることを特徴とする抗菌性粉末の製造方法。
６）含水酸化チタンもしくは酸化チタンの粒子表面に、銅、亜鉛またはそれらの合金の少なくとも一種を圧密混合して該抗菌性金属を担持させてなることを特徴とする抗菌性粉末の製造方法。
７）含水酸化チタンもしくは酸化チタンの粒子と銅、亜鉛またはそれらの合金の少なくとも一種の化合物を混合し、次いで還元して、該粒子表面に該抗菌性金属を担持させてなることを特徴とする抗菌性粉末の製造方法。
８）有機銅化合物、有機亜鉛化合物またはそれらの混合物の少なくとも一種を加熱分解して、含水酸化チタンもしくは酸化チタンの粒子表面に該分解金属を担持させてなることを特徴とする抗菌性粉末の製造方法。
９）熱硬化性樹脂或いは熱可塑性樹脂に請求項１の抗菌性粉末を配合して成る抗菌性樹脂組成物。
１０）ゴムに請求項１の抗菌性粉末を配合して成る抗菌性ゴム組成物。
１１）ガラスに請求項１の抗菌性粉末を配合して成る抗菌性ガラス組成物。
１２）請求項１の抗菌性粉末を配合して成る抗菌性塗料組成物。」（本号証の特許請求の範囲）が記載され、「この抗菌性粉末を各種の媒体に配合し塗布して調色性の好ましい抗菌性組成物を提供する」（公報第２頁左下欄第７〜９行）が記載され、「担持処理された抗菌性粉末は、・・それ自体公知の種々の方法を適用することによって、例えば工業用、家庭用の電機機器、家具調度品、室内装飾材、食品等の包装資材などの抗菌性処理に適用したり、種々の環境衛生施設、機器類の抗菌剤等として利用することができる」（公報第４頁左上欄第１０行〜１７行）が記載され、これらの記載からみて甲第５号証には、「可撓性部材の表面に光触媒機能を有する材料からなる粉体を適用することにより抗菌性組成物を提供する」発明が記載されていると認められる。
（対比・判断）
　本件発明１、２と甲各号証に記載の上記各発明とを対比すると、本件発明１及び本件発明２における共通の構成要件であり、かつ、病院内の固形部材の表面に光触媒機能を有する材料を適用する手段として前記訂正により限定された技術事項であるところの、「光触媒機能を有する材料を塗布したのち焼成することにより光触媒機能を有する材料を適用するか、或いは、前記光触媒機能を発現する金属酸化物に用いられる金属を薄膜化し、酸化処理を行って得た材料薄膜を部材表面に接着することにより適用する」（以下、「構成要件Ａ」という）手段については、甲第１号証〜甲第５号証のいずれにも記載がなく、またその示唆もない。そして、この点は甲各号証から当業者に自明な事項であるとも認められない。
　すなわち、甲第１号証には、金属化合物の被覆層形成手段として、タイルの表面にコーティングした例が記載されているが、上記の如き本件各発明の適用手段については何も記載がない。
　同じく、甲第２号証には、銀イオン担持体からなる殺菌剤を繊維に含浸させたりするなどの含有方法が記載されているが、本件各発明の前記適用手段については何も記載がない。
　甲第３号証には、光触媒機能を有する材料自体を得る方法については記載されているが、本件各発明の前記適用手段については何も記載がない。
　甲第４号証にも、光触媒機能を有する酸化チタンを生検鉗子の表面に吹き付けてコーティングする方法については記載されているが、本件各発明の前記適用手段については何も記載がない。
　また、甲第５号証にも、酸化チタンなどの粒子表面に抗菌性金属を無電解めっき、蒸着、圧密混合、加熱分解、還元による担持処理を施して抗菌性粉末そのものを得る方法が記載されているが、本件各発明の前記適用手段については何も記載がない。
　以上のように甲第１号証〜甲第５号証に記載の発明は、いずれも上記構成要件Ａを具備しておらず、またそれを窺わせる示唆もなく、かつ当該技術分野において、上記構成要件Ａが自明な技術事項であるとも認められないことから、甲第１号証〜甲第５号証に記載の発明を相互に適用しても本件発明１、本件発明２に到達することができたと、認定することはできない。
　そして、本件発明１及び本件発明２が上記構成要件Ａを具有することにより、訂正明細書記載の特有の作用効果を奏するものである。
　したがって、本件発明１は、甲第１号証に記載された発明と同一であるとは認められず、また甲第１号証及び甲第２号証、あるいは甲第１号証〜甲第５号証に記載の発明に基いて当業者が容易に発明をすることができたものとは認められない。
　また、本件発明２は、甲第１号証〜甲第３号証、甲第５号証に記載の発明に基いて当業者が容易に発明をすることができたものとは認められない。
（むすび）
　以上述べた理由のとおりであって、本件発明１、２の特許が特許法第２９条違反であるとする特許異議申立ての理由及び証拠によっては本件発明１、２の特許を取り消すことはできない。
　また、他に本件発明１、２の特許を取り消すべき理由を発見しない。
４．むすび
　以上のとおりであるから、特許権者株式会社竹中工務店らの本件特許の願書に添付した明細書の訂正の請求を認容することとし、本件特許異議申立人宮本正人の特許異議の申立てについては、その理由がないので、本件発明１、２の特許を取り消すことはできない。
　よって、結論のとおり決定する。
【異議決定日】
平成１２年７月５日（２０００．７．５）
【訂正の要旨】
　訂正の要旨
　特許第２７９０５９６号発明の明細書を本件訂正請求書に添付された訂正明細書のとおり、すなわち次の訂正事項ａ〜ｌのとおりに訂正する。
（１）訂正事項ａ
　特許請求の範囲の請求項１の記載を特許請求の範囲の減縮を目的として、
「【請求項１】病院内における部材が、金属材料、無機材料、有機材料からなり、４００ｎｍ未満の紫外線波長を含む光に暴露され、かつ、該部材表面に光触媒機能を有する材料を適用したものであり、該光触媒機能を有する材料が、酸化チタン、酸化鉄、酸化タングステン、酸化亜鉛、チタン酸ストロンチウムからなる群より選択される金属酸化物半導体の１種以上であることを特徴とする院内感染防止方法。」とあるのを、
「【請求項１】病院内における部材が、金属材料、無機材料、有機材料から選択される一種または二種以上の固形部材であり、４００ｎｍ未満の紫外線波長を含む光に暴露され、かつ、該部材表面に酸化チタン、酸化鉄、酸化タングステン、酸化亜鉛、チタン酸ストロンチウムからなる群より選択される金属酸化物半導体の１種以上である光触媒機能を有する材料を塗布したのち焼成することにより光触媒機能を有する材料を適用するか、或いは、前記光触媒機能を発現する金属酸化物に用いられる金属を薄膜化し、酸化処理を行って得た材料薄膜を部材表面に接着することにより適用することを特徴とする院内感染防止方法。」と訂正する。
（２）訂正事項ｂ
　特許請求の範囲の請求項２の記載を特許請求の範囲の減縮を目的として、
「【請求項２】病院内における部材が、金属材料、無機材料、有機材料からなり、４００ｎｍ未満の紫外線波長を含む光に暴露され、かつ、該部材表面に光触媒機能を有する材料を適用したものであり、該光触媒機能を有する材料が、酸化チタン、酸化鉄、酸化タングステン、酸化亜鉛、チタン酸ストロンチウムからなる群より選択される金属酸化物半導体の１種以上を白金、金、パラジウム、銀、銅、ニッケル、コバルト、ロジウム、ニオブ、スズ、酸化ルテニウム、酸化ニッケルからなる群から選択される金属又は金属酸化物で修飾してなる材料であることを特徴とする院内感染防止方法。」とあるのを、
「【請求項２】病院内における部材が、金属材料、無機材料、有機材料から選択される一種または二種以上の固形部材であり、４００ｎｍ未満の紫外線波長を含む光に暴露され、かつ、該部材表面に酸化チタン、酸化鉄、酸化タングステン、酸化亜鉛、チタン酸ストロンチウムからなる群より選択される金属酸化物半導体の１種以上を白金、金、パラジウム、銀、銅、ニッケル、コバルト、ロジウム、ニオブ、スズ、酸化ルテニウム、酸化ニッケルからなる群から選択される金属又は金属酸化物で修飾してなる光触媒機能を有する材料を塗布したのち焼成することにより光触媒機能を有する材料を適用するか、或いは、前記光触媒機能を発現する金属酸化物に用いられる金属と前記光触媒機能を有する金属の合金を薄膜化し、酸化処理を行って得た材料薄膜を部材表面に接着することにより適用することを特徴とする院内感染防止方法。」と訂正する。
（３）訂正事項ｃ
　特許請求の範囲の減縮を目的として請求項３を削除する。
（４）訂正事項ｄ
　特許請求の範囲の減縮を目的として請求項４を削除する。
（５）訂正事項ｅ
　明りょうでない記載の釈明を目的として、明細書の第３頁（特許公報第２頁右欄）段落番号【０００７】における【課題を解決するための手段】の
「本出願に係わる請求項１記載の発明は、院内感染防止方法であって、病院内における部材が、金属材料、無機材料、有機材料からなり、４００ｎｍ未満の紫外線波長を含む光に暴露され、かつ、該部材表面に光触媒機能を有する材料を適用したものであり、該光触媒機能を有する材料が、酸化チタン、酸化鉄、酸化タングステン、酸化亜鉛、チタン酸ストロンチウムからなる群より選択される金属酸化物半導体の１種以上であることを特徴とする。この金属酸化物半導体は白金、金、パラジウム、銀、銅、ニッケル、コバルト、ロジウム、ニオブ、スズ、酸化ルテニウム、酸化ニッケルからなる群から選択される金属又は金属酸化物で修飾されていることが好ましい。」とあるのを、
「本出願に係わる請求項１記載の発明は、院内感染防止方法であって、病院内における部材が、金属材料、無機材料、有機材料から選択される１種又は２種以上の固形部材であり、４００ｎｍ未満の紫外線波長を含む光に暴露され、かつ、該部材表面に酸化チタン、酸化鉄、酸化タングスチン、酸化亜鉛、チタン酸ストロンチウムからなる群より選択される金属酸化物半導体の１種以上である光触媒機能を有する材料を塗布したのち焼成することにより光触媒機能を有する材料を適用するか、或いは、前記光触媒機能を発現する金属酸化物に用いられる金属を薄膜化し、酸化処理を行って得た材料薄膜を部材表面に接着することにより、該部材表面に光触媒機能を有する材料を適用したものであることを特徴とする。この金属酸化物半導体は白金、金、パラジウム、銀、銅、ニッケル、コバルト、ロジウム、ニオブ、スズ、酸化ルテニウム、酸化ニッケルからなる群から選択される金属又は金属酸化物で修飾されていることが好ましい。」と訂正する。
（６）訂正事項ｆ
　明りょうでない記載の釈明を目的として、明細書の第３頁（特許公報の第２頁右欄）段落番号【０００８】における
「【０００８】本出願に係わる請求項３記載の発明は、前記部材が、金属材料、無機材料、有機材料から選択される一種または二種以上の固形部材であり、該部材表面が前記光触媒機能を有する材料からなる薄膜で被覆されていることを特徴とする。」の記載を削除する。
（７）訂正事項ｇ
　明りょうでない記載の釈明を目的として、明細書の第３頁（特許公報の第２頁右欄）段落番号【０００９】における
「【０００９】本出願に係わる請求項４記載の発明は、前記部材が、有機材料の一種または二種以上の可撓性部材であり、該部材表面に前記光触媒機能を有する材料粉体を適用することを特徴とする。」の記載を削除する。
（８）訂正事項ｈ
　明りょうでない記載の釈明を目的として、明細書の第３頁（特許公報の第２頁右欄）段落番号【００１０】の「病院内における部材」とある記載を、「病院内における固形部材」と訂正する。
（９）訂正事項ｉ
　明りょうでない記載の釈明を目的として、明細書の第３頁（特許公報の第２頁右欄）段落番号【００１２】における「、カーテン、カーペット」とある記載を削除する。
（１０）訂正事項ｊ
　明りょうでない記載の釈明を目的として、明細書の第５頁（特許公報の第３頁左欄〜右欄）段落番号【００１７】における「固定する方法」とある記載を、「固定し、焼成する方法」と訂正する。
（１１）訂正事項ｋ
　明りょうでない記載の釈明を目的として、明細書の第５頁〜第６頁（特許公報の第３頁右欄）段落番号【００１８】における
「【００１８】本発明の院内感染防止方法において、光触媒機能を有する物質を適用する病院内の部材が、寝台のマット部、椅子の樹脂製クッション部、カーテン、カーペット、繊維性の壁材等有機材料からなる可撓性部材である場合は、該部材表面に光触媒機能を有する材料を粉体化して適用することが好ましい。ここで、可撓性部材とは、樹脂製の薄板の如き部材や、繊維製品、合成レザーの如く、応力によって容易に変形する部材の全てを含むものとする。適用方法としては、修飾した金属酸化物等の光触媒機能を有する材料を粉末化し、該粉体を接着剤とともに可撓性部材にスプレーする方法、毛足の長いカーペットや表面接着性を有するスチレンーブタジエンゴム等の玄関マットの如きものには、粉体を表面に直接散布する方法等が挙げられる。」の記載を削除する。
（１２）訂正事項ｌ
　明りょうでない記載の釈明を目的として、明細書の第６頁（特許公報の第３頁右欄）段落番号【００２１】の
「また可撓性部材については、粉体を吹きつけ接着する他、繊維、樹脂を構成する高分子材料に前記の粉体を混合し、成形する方法も用いることができる。」とある記載を削除する。
（５４）【発明の名称】
院内感染防止方法
（５７）【特許請求の範囲】
　　【請求項１】　病院内における部材が、金属材料、無機材料、有機材料
から選択される一種または二種以上の固形部材であり、
光触媒機能を有する材料を塗布したのち焼成することにより光触媒機能を有する材料を適用するか、或いは、前記光触媒機能を発現する金属酸化物に用いられる金属を薄膜化し、酸化処理を行って得た材料薄膜を部材表面に接着することにより
　　【請求項２】　病院内における部材が、金属材料、無機材料、有機材料
から選択される一種または二種以上の固形部材であり、
光触媒機能を有する材料を塗布したのち焼成することにより光触媒機能を有する材料を適用するか、或いは、前記光触媒機能を発現する金属酸化物に用いられる金属と前記修飾機能を有する金属の合金を薄膜化し、酸化処理を行って得た材料薄膜を部材表面に接着することにより
【発明の詳細な説明】
　【０００１】
　　【産業上の利用分野】
　本発明は、病院内における細菌の感染防止方法、詳しくは、病院内において、不特定多数のものが使用する場所に光触媒機能を有する材料を用いた院内感染防止方法に関する。
　【０００２】
　【従来の技術】
　近年、抗生物質の乱用に起因するＭＲＳＡ（メチシリン耐性黄色ブドウ球菌）等の抗生物質耐性菌が病院内で感染することが確認され、大きな社会問題となっている。すなわち、重症の医療患者を収容した高次医療機関から始まった抗生物質耐性菌の院内感染は広範囲に拡大し、患者や病院職員等に大きな脅威となっている。この対策としては、抗生物質の適切な使用による耐性菌増加の抑制や、頻繁な消毒・殺菌による耐性菌の拡散を防止することが挙げられる。
　【０００３】
　耐性菌の拡散を防止する方法としては、耐性菌感染者の隔離、感染者及び施療等で感染者に接触する者の皮膚、着衣の消毒・殺菌、使用した医療器具等の消毒・殺菌を励行する他はなく、各病院においてはマニュアルを作成して院内感染の防止に努めている。しかしながら、耐性菌感染者が確認された場合であっても、個室への隔離が困難な場合もあり、また、感染が確認されないうちに、接触による二次感染を引き起こす場合もあり、有効な感染防止対策が切望されていた。
　【０００４】
　病院内においても、隔離病棟や手術室等の高度の安全性が必要な部分における感染防止対策はなされているものの、特に不特定多数のものが出入りする待合室、廊下、洗面所等の共用部分における対策は殆どなされておらず、また、行われたとしても、頻繁な消毒・殺菌作業による多大な負担に加え、殺菌剤、消毒剤の安全性の問題、使用済薬剤の処理の問題等の新たな問題が発生し、有効でかつ安全性が高い対策が望まれていた。
　【０００５】
　従来、薬剤によらない防臭、防黴材として、半導体の光触媒機能を利用したものが知られている。すなわち、酸化チタン等の半導体は、特定の波長の光により光触媒機能を発現し、強力な酸化作用により防臭、防黴機能を有することが知られている。防菌防黴誌、第１３巻第５号第２１１頁（１９８５年）には、酸化チタン微粒子固定膜が殺菌リアクターとして有用である点が記載され、特公平２−９８５０号には、酸化チタン等の半導体に金属または金属酸化物を担持したものを用いた廃棄物の浄化方法が記載されている。前記方法は、光触媒機能を有する物質を微粒子化してから目的物である廃液に分散させて、浄化処理を行うものである。しかしながら、前記光触媒機能の利用は、実験的な段階であるか、一過性のものであり、未だ実用的に有効な利用には至っていなかった。
　【０００６】
　　　【発明が解決しようとする課題】
　本発明の目的は、安全性が高く、殺菌効果に優れ、さらに頻繁なメンテナンスが不要で、広範に用いることができる、抗生物質耐性菌等の効果的な院内感染防止方法を提供することにある。
　【０００７】
　【課題を解決するための手段】
　本出願に係わる請求項１記載の発明は、院内感染防止方法であって、病院内における部材が、金属材料、無機材料、有機材料から
から選択される一種または二種以上の固形部材であり、
酸化チタン、酸化鉄、酸化タングステン、酸化亜鉛、チタン酸ストロンチウムからなる群より選択される金属酸化物半導体の１種以上である光触媒機能を有する材料を塗布したのち焼成することにより光触媒機能を有する材料を適用するか、或いは、前記光触媒機能を発現する金属酸化物に用いられる金属を薄膜化し、酸化処理を行って得た材料薄膜を部材表面に接着することにより、該部材表面に光触媒機能を有する材料を適用したものである
　【００１０】
　　【作用】
　本発明の院内感染防止方法は、病院内における固形部材に、４００ｎｍ未満の紫外線波長を含む光に暴露された光触媒機能を発現する前記の物質を適用するため、光触媒反応によって、部材表面に付着した細菌に対し優れた殺菌効果を発現する。また、光触媒機能を発現する物質は、４００ｎｍ未満の紫外線波長を含む光に暴露されている限り、特別のメンテナンスなしに、半永久的に殺菌効果を発現し、好ましくない環境の汚染や、廃棄物の発生もないため、安全で効果的な院内感染の防止を行うことができる。
　【００１１】
　　【実施例】
　以下、本発明を更に詳しく説明する。
　【００１２】
　本発明の院内感染防止方法において、光触媒機能を有する物質を適用する病院内の部材としては、病室、廊下、待合室、洗面所等、特に不特定多数のものが接触する場所における床、壁、窓枠、手すり、把手、蛇口、寝台のフレーム笠が挙げられる。すなわち、病院内においても、隔離病棟、集中治療室、手術室等高度の安全性を必要とする場所における感染防止対策は完全に行われているものの、不特定多数のものが出入りする一般病室、廊下、待合室、洗面所等における感染防止対策が不充分であったためである。
　【００１３】
　前記部材のうち、床、壁、窓枠、手すり、把手、蛇口、寝台のフレーム等、金属材料、無機材料、有機材料からなる固形部材の場合は、該部材表面に光触媒機能を有する物質からなる薄膜で被覆することが好ましい。金属材料としては、壁、ドア、床材等に用いられる金属パネル、窓枠、階段、洗面所等の手すり、ドアの把手、水道の蛇口及び椅子、寝台等の金属製フレーム等が挙げられ、無機材料としては、タイル、石膏等のボード類、吹きつけ又は塗装による壁材、ガラス及び洗面台、便器等の陶製材料等が挙げられ、有機材料としては、樹脂性の床材、壁材、ドアの把手、水道の蛇口、椅子、寝台等の樹脂製フレームが挙げられる。これらの固形部材においては、酸化チタン等の光触媒機能を発現する物質からなる薄膜をコーティングするものであるが、膜厚を１μｍ程度にすれば、膜自体は透明であるため、意匠性を損なうことなく、各部材に適用することができる。また、透明性を要さない部材に適用する場合は、膜強度を向上させるために膜厚を１μｍ以上とすることも任意である。
　【００１４】
　本発明の院内感染防止方法に用いられる光触媒機能を発現する物質としては、酸化チタン等の金属酸化物半導体が挙げられる。具体的には、特公平２−９８５０号に記載の如き物質が挙げられ、特に、酸化チタン、酸化鉄、酸化タングステン、酸化亜鉛、チタン酸ストロンチウム等がひろく知られている。本発明の院内感染防止方法に使用する半導体はこれらの何れであってもよいが、殺菌効果及び入手の容易さから、特に酸化チタンが好ましい。
　【００１５】
　酸化チタン等の触媒機能を向上させるために前記金属酸化物を修飾する金属又は他の金属酸化物も、光触媒反応を更に促進させるため好適に用いられるが、例えば、白金、金、パラジウム、銀、銅、ニッケル、コバルト、ロジウム、ニオブ、スズ、酸化ルテニウム、酸化ニッケルからなる群がら選択される金属を併用することが好ましく、なかでも、効果の点から白金、金、パラジウム、銀が、さらに、加工の容易さ、価格の点からパラジウムが好ましい。この修飾量としては、本発明における金属酸化物に対して、０．０１〜２０重量％の範囲内で用いることが望ましい。
　【００１６】
　前記金属酸化物の調製法としては、例えば金属の高温焼成、電解酸化、化学的蒸着法、真空蒸着法、共沈法、金属ハロゲン化法等の蒸発酸化法、無機金属塩の中和や加水分解、金属アルコキシドの加水分解、ゾルゲル法等により調整することができる。また、市販品を使用してもよい。また前記金属又はその他の金属酸化物の修飾法は、含浸法、沈澱法、イオン交換法、光電析法、練成法等の従来より用いられている方法でよい。
　【００１７】
　固形部材への薄膜の被覆方法としては、平面、曲面あるいは複雑な形状面を有する部材の表面の一部又は全部に前記金属酸化物を、例えばスプレーコーティング法、ディップコーティング法、スピンコーティング法、スパッタリング法等の少なくとも１つ以上の方法によって、固定
し、焼成
　【００１９】
　本発明においては、前記部材は光に暴露されていることが必要であるが、該光エネルギーは、光触媒を励起させるのに対応した波長を有するものであって、光触媒反応に寄与する４００ｎｍ以下の紫外線波長を多く含む光エネルギーが好ましい。該光エネルギー源としては、太陽光の自然光光源、水銀灯より発する光、蛍光灯より発する光、ハロゲンランプ系のフィラメントランプより生ずる光、ショートアークキセノン光、レーザー光線等の人工光光源が挙げられる。また、太陽光線の補助光源として、人工光源を同時に使用してもよい。
　【００２０】
　前記、光の照射方法は、部材に適用された光触媒機能を発現する物質に、所望により、直接照射する方法、ガラス等透明な部材の場合は、これを通して薄膜に照射する又は太陽光と人工光を併用して多面的に薄膜に照射する方法等を用いることができるが、通常は、特別な光の照射を要せず、病院内の蛍光灯等による照明の光で充分な効果を発現する。ただし、これら照明の光が届かず陰となる部位においては殺菌効果が発現しないため、所望により別の光照射手段を用いて、人が接触する部位全体に殺菌効果を発現させることが好ましい。また、高い殺菌効果を必要とする部材には、光触媒作用を促進するような波長の光を充分な強度で適用することが好ましい。
　【００２１】
　本発明に係わる光触媒機能を有する材料の病院内における部材への具体的適用方法としては、前記固形部材に直接材料をスプレーコーティング法等で塗布し、焼成して薄膜を形成させる方法の他、光触媒材料薄膜を表面に形成した、タイル、金属タイル等を用いてもよい
。こ
　【００２２】
（実施例１）　殺菌性の評価
　１５０ｃｍ２のタイル上に酸化チタンゾルをスピンコーティングで塗布した後、７００℃で焼成し、薄膜を生成させて、タイル上に酸化チタン薄膜をコーティングした材料を得た。それを２０ｃｍ２に切断したものを試験片とした。
　【００２３】
図１は殺菌性評価用装置を表す。
　前記酸化チタン薄膜１０をコーティングしたタイル製試験片表面に、２×１０４のＭＲＳＡを生理食塩水に分散させたセルサスペンジョン（菌液）１２を塗布し、乾燥後、３０ｃｍの距離をおいて、上部から１５Ｗの白色蛍光灯１４により光を３０分間照射し、しかる後、タイル全表面上のセルサスペンジョン１２を綿棒で擦り取ってデスオキシコレート培地に移し、該培地を３７℃にて２４時間培養し、ＭＲＳＡの生菌数をカウントしたところ０．４×１０４であった。これにより、３０分間の光照射により、約８０％のＭＲＳＡが死滅したことが明らかとなった。
　【００２４】
　この条件における紫外線照射量を測定したところ、１ｃｍ２あたり４．９１μＷであり、２０ｃｍ２の試験片への照射量は、９８．２μＷ／２０ｃｍ２であった。前記生菌数より求めた死滅したＭＲＳＡの数は、１．６×１０４であった。死滅したＭＲＳＡの数を紫外線照射量及び照射時間（分）で除し、得られた数値を殺菌効果とした。本評価の結果、殺菌効果は、５．４（細胞／ｍｉｎ・μＷ）で表された。
　【００２５】
　白色蛍光灯をＢＬ（ブラックライト）ランプに換え、同様の評価を行った。結果を図２に示す。図２は、光照射時間とＭＲＳＡの生存率の関係を表したグラフである。結果から明らかなように、タイル上に酸化チタン薄膜をコーティングした試験片は、白色蛍光灯、ＢＬランプ何れの照射においても、ＭＲＳＡに対し高い殺菌効果を示す。
　【００２６】
　同様の試験を、大腸菌についてもおこなった。結果を図３に示す。図３は、光照射時間と大腸菌の生存率の関係を表したグラフである。蛍光灯、ＢＬランプ何れの照射においても、照射時間約１５分間で、９０％以上の大腸菌が死滅しており、本試験片は、ＭＲＳＡのみならず、大腸菌に対しても、高い殺菌効果を示すことが明らかとなった。
　【００２７】
　（実施例２）　院内感染防止方法の評価
　病院における、手術室、手術台、一般病室、外来待合室及び廊下、外来診察室、一般事務、サービスエリアの各区域の光照射条件を測定し、前記酸化チタン薄膜コーテイングタイルを適用した場合の、その区域における殺菌効果、５０細胞／ｃｍ２の細菌を死滅させるのに要する時間を実施例１の結果にしたがって計算し、表１に示した。光の照射については、特別の付加は行わず、通常の各区域における照明のみとした。
　【００２８】
　【表１】
　
　【００２９】
　一般的に、病院内における細菌の生菌数は、５０細胞／ｃｍ２未満であることが知られており、何れの区域においても、通常の照明のみによって、約１〜約３０分間で、当該数の細菌を死滅させることが推定された。
　【００３０】
　本実施例に用いられる酸化チタンは、その膜厚によって、様々な発色が得られることが知られている。酸化チタン膜厚を前記の如く１μｍ以下にすれば、透明となり、窓ガラス、鏡等の透過性を要する部位にも使用でき、また、膜厚をコントロールすることにより、様々な発色が得られるため、意匠的にも好ましいものである。
　【００３１】
　本実施例では、光触媒機能を有する材料として、酸化チタン薄膜を用いているが、他の金属酸化物薄膜を用いてもよく、さらに、光触媒機能を向上させるために、酸化チタン等の金属酸化物を白金やパラジウム等の金属で修飾して薄膜化したものを用いてもよい。また、チタンの如き光触媒機能を有する金属酸化物を構成する金属と、白金やパラジウム等の修飾金属との合金を作成して薄膜化し、例えば、陽極酸化等の酸化処理を行って、表面が酸化チタンと修飾金属との合金、内部がチタンと修飾金属との合金である薄膜を作成して、適用部位に接着して用いることもできる。
　【００３２】
　　【発明の効果】
　本発明の院内感染防止方法は、安全性が高く、抗生物質耐性菌等に対する殺菌効果に優れ、さらに頻繁なメンテナンスが不要で、広範に用いることができる。
【図面の簡単な説明】
　　【図１】
　殺菌性評価用装置の概略図である。
　　【図２】
　光照射時間とＭＲＳＡの生存率の関係を表したグラフである。
　　【図３】
　光照射時間と大腸菌の生存率の関係を表したグラフである。
　【符号の説明】
　１０　酸化チタン薄膜
　１２　セルサスペンジョン
　１４蛍光灯（１５Ｗ）